(57)【特許請求の範囲】
【請求項１】
垂直方向に配列された複数の発光手段と、水平方向に二以上の受光領域を有し且つ垂直方向には前記各発光手段が出射して被照射体に反射された反射光を受光し得る大きさを有した光検出手段と、前記複数の発光手段を順次点灯させる点灯制御手段と、発光手段の点灯タイミングに対応して前記光検出手段の出力を取り出す出力取出手段と、出力取出手段からの出力値と閾値とを比較して所定の範囲内の出力を選別する出力選別手段と、前記選別された出力に基づいて観察者の頭部位置を推定する推定手段と、を備えたことを特徴とする観察者頭部位置検出装置。
【請求項２】
前記複数の受光領域は、単体の受光素子を領域分割することによって構成されていることを特徴とする請求項１に記載の観察者頭部位置検出装置。
【請求項３】
前記複数の受光領域は、複数の受光素子を配列することによって構成されていることを特徴とする請求項１に記載の観察者頭部位置検出装置。
【発明の詳細な説明】
【０００１】
【産業上の利用分野】
この発明は、観察者の頭部位置に追従して両眼視差を有する映像を観察者の左右の眼にそれぞれ導く頭部追従型の眼鏡無し立体映像表示装置に用いて好適な観察者頭部位置検出装置に関する。
【０００２】
【従来の技術】
特殊な眼鏡を使用することなく立体映像を観察者の頭部位置に追従して認識させることができる眼鏡無し立体映像表示装置が知られている。この立体映像表示を実現する方法として、パララックスバリア方式やレンチキュラーレンズ方式がある。この方式においては、図１０に示すように、映像表示パネル２００上には一縦ラインおきに右眼画像と左眼画像が表示される。そして、図示しないレンチキュラーレンズやパララックスバリアは、観察者Ａが最適観察位置Ｄにいる状態で、右眼画像と左眼画像が眼間距離Ｅのピッチにて交互に観察されるように設計される。
【０００３】
図１０では、「…，Ｒ，Ｒ１，Ｒ２，Ｒ３，Ｒ４，…」が右眼画像観察可能領域であり、「…，Ｌ，Ｌ１，Ｌ２，Ｌ３，…」が左眼画像観察可能領域である。従って、図１１に示すように、観察者の右眼が右眼画像観察可能領域にあり、左眼が左眼画像観察可能領域にある場合は、観察者は立体映像を認識できる。各眼の画像観察領域は、画面の全面から対応する眼の画像が集光されるので、図１２に示すように、例えば、画面真正面のＲ２領域に注目すると、実際には、前後に多少移動した位置にも観察可能範囲が存在する。すなわち、図の四角形領域Ｇにおいては、画面全面からの右眼画像の到達が可能となるので、当該四角形領域Ｇの上端又は下端にて右眼画像の観察が行える。また、Ｒ２領域を通過する光は、図中の斜線領域以外には到達しないことになる。
【０００４】
前述の原理により、右眼画像観察可能領域および左眼画像観察可能領域はそれぞれ図１３に示す四角形領域（斜線を施してある）となる。従って、図１４に示すように、観察者Ａの右眼が右眼画像観察四角形領域に、左眼が左眼画像観察四角形領域に存在する場合、立体視が可能となり、逆にそれ以外の場合には立体視不能になる。
【０００５】
立体視可能範囲を拡大する方法としては、観察者Ａの位置を検出し、観察者の右眼に左眼画像が左眼に右眼画像が観察されるいわゆる逆視領域に観察者Ａが位置する場合、映像表示パネル２００に表示する右眼画像と左眼画像を入替える方法がある。また、映像表示パネルとバックライトとの間に配置されたスリット状の開口部を持つ遮光バリアやパララックスバリアを、そのピッチに対して１／４ピッチ移動（バリア移動）できるようにした構成も知られている。かかる構成であれば、図１３に示した四角形領域がＥ／４だけ移動可能となり、図１５に示すように、白抜き四角形領域において、各画像が観察可能となる。すなわち、「…，Ｒ，Ｒ１，Ｒ２，Ｒ３，Ｒ４，…」であった右眼画像観察可能領域が、「…，Ｒ′，Ｒ１′，Ｒ２′，Ｒ３′，Ｒ４′，…」となり、「…，Ｌ，Ｌ１，Ｌ２，Ｌ３，…」であった左眼画像観察可能領域が、「…，Ｌ′，Ｌ１′，Ｌ２′，Ｌ３′，…」となる。
【０００６】
従って、バリアや遮光板におけるバリア移動と映像表示パネル２００に表示する右眼画像と左眼画像の切換を最適に制御することで、図１５の斜線四角形領域と白抜き四角形領域のどの位置においても、右眼画像または左眼画像の観察が可能となり、立体視範囲は拡大する。
【０００７】
【発明が解決しようとする課題】
このようにして立体視可能範囲を広げるためには、観察者Ａの頭部位置を的確に検出する装置が重要になる。従来は、観察者Ａを撮像カメラにて撮像し、撮像データに対して例えば輪郭抽出処理を行うことで背景と観察者頭部との境界を検出して撮像面上の観察者の頭部位置を判断し、この撮像面上の観察者の頭部位置に基づいて実際の観察者の頭部位置を割り出すようにしていた。
【０００８】
しかしながら、上記輪郭抽出処理等を行うためにはマイクロコンピュータが必要になるため、コスト高になるという欠点があった。また、単純に受光素子を並べただけでは、精度良く観察者の頭部位置を検出することができない。
【０００９】
この発明は、上記の事情に鑑み、低コストを実現しつつ精度良く観察者の頭部位置を検出することができる観察者頭部位置検出装置を提供することを目的とする。
【００１０】
【課題を解決するための手段】
この発明の観察者頭部位置検出装置は、上記の課題を解決するために、垂直方向に配列された複数の発光手段と、水平方向に二以上の受光領域を有し且つ垂直方向には前記各発光手段が出射して被照射体に反射された反射光を受光し得る大きさを有した光検出手段と、前記複数の発光手段を順次点灯させる点灯制御手段と、発光手段の点灯タイミングに対応して前記光検出手段の出力を取り出す出力取出手段と、出力取出手段からの出力値と閾値とを比較して所定の範囲内の出力を選別する出力選別手段と、前記選別された出力に基づいて観察者の頭部位置を推定する推定手段と、を備えたことを特徴とする観察者頭部位置検出装置。
【００１５】
かかる構成は、垂直方向に配列された複数の発光手段を用い、これを順次点灯させるとともに、各点灯タイミングで前記光検出手段の出力を取り出すことで、言わば光検出手段を垂直方向に領域分割したのと同様の作用を得ている。そして、出力選別手段は、各点灯タイミングでの光検出手段の出力値と閾値とを比較して所定の範囲内の出力を選別するので、役に立たない点灯時点の出力（即ち、役に立たない領域に対応した出力）はカットされ、頭部位置検出が高精度で行えることになる。また、輪郭抽出といった処理などは必要とせず、マイクロコンピュータは必ずしも必要としないので、コストの低減も図れる。
【００１８】
前記複数の受光領域は、単体の受光素子を領域分割して構成してもよい。或いは、前記複数の受光領域は、複数の受光素子を配列して構成してもよい。
【００１９】
【発明の実施の形態】
（実施形態１）
以下、この発明の参考例としての実施形態を図１乃至図４に基づいて説明する。
【００２０】
図１は、眼鏡無し立体映像表示装置１と検出装置２と観察者３との位置関係を示した説明図である。眼鏡無し立体映像表示装置１は、パララックスバリア或いはレンチキュラーレンズ等（図示せず）を備え、画面から適視距離Ｄ離れた位置の観察者３の頭部位置に追従して両眼視差を有する映像を観察者３の左右の眼にそれぞれ導くようになっている。検出装置２は、観察者３の頭部位置を検出する装置であり、眼鏡無し立体映像表示装置１の上部位置に設けられている。
【００２１】
図２は、検出装置２における光学系を示した図であり、同図（ａ）は正面図、同図（ｂ）は側面図である。光検出器４は、水平方向に二つの受光領域を有し且つ垂直方向には４つの受光領域を有する。各受光領域の横幅は観察者のほぼ頭部幅に対応している。そして、左の垂直領域Ａは上から順にＡｄ，Ａｃ，Ａｂ，Ａａの４領域から成り、右の垂直領域Ｂは、上から順にＢｄ，Ｂｃ，Ｂｂ，Ｂａの４領域から成る。各受光領域は単体の受光素子（例えば、フォトダイオードやフォトトランジスタ等）を領域分割することで構成してもよいし、複数の独立した受光素子を配列することによって構成してもよい。なお、実際には、眼鏡無し立体映像表示装置１における立体視範囲に対応して、水平方向に多数の受光領域が形成される。
【００２２】
発光手段である赤外ＬＥＤ（発光ダイオード）６は、眼鏡無し立体映像表示装置１の前方（即ち、観察者３が位置することになる方向）に向けて赤外光を照射する。受光用レンズ５は、光検出器４の受光面側に設けられており、上記赤外光の反射する物体の像を光検出器４の受光面上に形成する。なお、光検出器４と受光用レンズ５とによって決まる受光視野全体に対して、前記赤外ＬＥＤ６は均一に赤外光を照射するようになっている。
【００２３】
図３は、図１に示した位置関係において、図２（ａ）の光検出器４の受光面上に観察者３の像が結像された様子の一例を示している。観察者３の像は光検出器４の受光面上で倒立像として生じるが、図３においては、正立像として示すとともに光検出器４の垂直方向の受光領域の並びを上下逆にして示している。また、図３においては、隣接する二つの垂直領域Ａ，Ｂの最も下の横並びの受光領域Ａｄ，Ｂｄがともに観察者３の胸部当たりに対応しており、しかも観察者３の胸幅が上記横並びの受光領域Ａｄ，Ｂｄより相対的に大きい。また、隣接する二つの垂直領域の最も上の横並びの受光領域Ａａ，Ｂａがともに観察者の頭よりも上の位置に対応している。
【００２４】
図４は、検出装置２のブロック図である。赤外ＬＥＤ駆動回路１２は赤外ＬＥＤ６の点灯と消灯を制御する。受光素子駆動回路１１は、光検出器４が図２および図３のごとく構成されている場合には、垂直領域Ａ，Ｂともに４チャネル駆動を行う。すなわち、Ａａ，Ａｂ，Ａｃ，Ａｄの４領域およびＢａ，Ｂｂ，Ｂｃ，Ｂｄの４領域において個別に光電変換出力を取り出す。
【００２５】
ライン判定回路１３は、上記の光電変換出力を入力する。ライン判定回路１３を構成している閾値判定回路１３ａは、上限設定用の第１コンパレータと下限設定用の第２コンパレータとを備えており、各受光領域からの光電変換出力値と閾値とを比較して所定の範囲内の光電変換出力のみを選別する。ただし、この実施形態では、例えば、領域Ａａと領域Ｂａの両方の光電変換出力が所定範囲外となったときに、当該両方の光電変換出力を無効（カット）にすることとし、一方（例えば領域Ａａ）の光電変換出力だけが所定範囲外となったときにはこの一方（領域Ａａ）の光電変換出力も有効扱いすることにしている。加算器１３ｂは、垂直方向の受光領域Ａ，Ｂごとに前記選別された光電変換出力値を加算する。例えば、領域Ａｂ，Ａｃと領域Ｂｂ，Ｂｃの出力が選別されのであれば、Ａｂ出力＋Ａｃ出力を垂直方向の受光領域Ａの加算出力とし、Ｂｂ出力＋Ｂｃ出力を垂直方向の受光領域Ｂの加算出力とする。この加算器１３ｂの出力は、各ライン（垂直領域）判定信号として観察者位置推定回路１４に供給される。
【００２６】
観察者位置推定回路１４は、上記加算器１３ｂからの各垂直領域における加算出力、すなわち各ライン判定信号に対して比較処理や加減算処理等を行うことによって観察者３の位置を推定し、この推定結果を眼鏡無し立体映像表示制御回路１５に与える。この制御回路１５は、上記の推定結果（観察者の頭部推定位置）に基づき、従来の項で述べたごとく、画面表示する右眼画像と左眼画像を入替えたり、遮光バリアやパララックスバリアのピッチを移動させる制御等を行うことになる。
【００２７】
ここで、上記加算器１３ｂからの各垂直領域における加算出力、すなわち各ライン判定信号において、二つの垂直領域Ａ，Ｂの出力加算値が略等しいのであれば、観察者３は丁度、垂直領域Ａ，Ｂの境目（ラインＣ）に対応した箇所に位置していると判断することができる。なお、上記ラインＣは光検出器４の水平方向の分割中心（この場合Ａ，Ｂの間）および受光用レンズ５のレンズ中心によって決まる。その一方、垂直領域Ａ，Ｂの出力加算値が異なっていれば、異なりの程度およびどちらの出力が高いかにより（即ち、観察者位置推定回路１４が行う各領域の出力加算値の比較や減算処理等により）、上記の場合よりも右側或いは左側に所定距離ずれた箇所に位置していると判断することができる。
【００２８】
ところで、図３に示した状態においては、垂直領域Ａ，Ｂの最も下の横並びの受光領域Ａｄ，Ｂｄがともに観察者３の胸部当たりに対応しており、しかも観察者の胸幅が上記横並びの受光領域Ａｄ，Ｂｄより相対的に大きいので、観察者３が多少横方向に移動したとしても、前記横並びの受光領域Ａｄ，Ｂｄの出力値に差は生じず、観察者３の位置検出において受光領域Ａｄ，Ｂｄの出力は役に立たない。同様に、垂直領域Ａ，Ｂの最も上の横並びの受光領域Ａａ，Ｂａがともに観察者３の頭よりも上の位置に対応しているので、観察者３が横方向に移動したとしても、前記横並びの受光領域Ａａ，Ｂａの出力値に差は生じず、観察者３の位置検出において、上記受光領域Ａａ，Ｂａの出力は役に立たない。このような役に立たない出力は検出精度に悪影響を及ぼす。
【００２９】
観察者３の胸部は言わば反射物であり、観察者３の頭部よりも上の部分は反射物が無い状態であるから、これらに対応する受光領域の出力は非常に大きいか或いは小さい値となる。閾値判定回路１３ａは、各受光領域からの出力値と閾値とを比較して所定の範囲内の出力を選別するので、上記の役に立たない受光領域の出力はカットして必要な出力のみを加算器１３ｂに供給する。これは、観察者３の見る高さ（身長や座高）による個人差の影響を取り除いたことに相当し、頭部位置検出が高精度で行えることになる。
（実施形態２）
以下、この発明の実施例としての実施形態を図５乃至図７に基づいて説明する。
【００３０】
図５は、検出装置２０における光学系を示した図であり、同図（ａ）は正面図、同図（ｂ）は側面図である。発光手段６１は、垂直方向に配列された複数の赤外ＬＥＤａ〜ｄから成る。光検出器４１は、水平方向に二つの受光領域Ａ，Ｂを有し且つ垂直方向には前記各赤外ＬＥＤａ〜ｄから出射して被照射体に反射された反射光を受光し得る大きさを有している。なお、実際には、眼鏡無し立体映像表示装置１における立体視範囲に対応して、水平方向に多数の受光領域が並べられる。
【００３１】
各赤外ＬＥＤａ〜ｄは、眼鏡無し立体映像表示装置１の前方（即ち、観察者３が位置することになる方向）に向けて赤外光を照射する。受光用レンズ５１は、光検出器４１の受光面側に設けられており、上記赤外光の反射する物体の像を光検出器４１の受光面上に形成する。ここで、光検出器４１の受光面において、前記赤外ＬＥＤａが出射した光の反射光は、図６に示すように、領域Ａａ，Ｂａに照射され、赤外ＬＥＤｂが出射した光の反射光は領域Ａｂ，Ｂｂに照射され、赤外ＬＥＤｃが出射した光の反射光は領域Ａｃ，Ｂｃに照射され、赤外ＬＥＤｄが出射した光の反射光は領域Ａｄ，Ｂｄに照射される。
【００３２】
また、上記図６では、光検出器４１の受光面上に観察者３の像が結像された様子の一例を示している。この例では、隣接する二つの垂直領域Ａ，Ｂの最も下の横並びの領域Ａｄ，Ｂｄがともに観察者３の胸部当たりに対応しており、しかも観察者３の胸幅が上記横並びの受光領域Ａｄ，Ｂｄより相対的に大きい。また、隣接する二つの垂直領域Ａ，Ｂの最も上の横並びの領域Ａａ，Ｂａがともに観察者の頭よりも上の位置に対応している。
【００３３】
図７は、検出装置２０のブロック図である。赤外ＬＥＤ駆動回路２２はパルス発生器２６が出力するパルスタイミングに応じて赤外ＬＥＤａ〜ｄの順次点灯と消灯を制御する。受光素子駆動回路２１は、パルス発生器２６が出力するパルスタイミングに応じて前記光検出器４１における垂直領域Ａ，Ｂごとに光電変換出力を取り出す。
【００３４】
ライン判定回路２３は、受光素子駆動回路２１が出力する光電変換出力を入力する。ライン判定回路２３を構成している閾値判定回路２３ａは、上限設定用の第１コンパレータと下限設定用の第２コンパレータとを備えており、入力した光電変換出力値と閾値とを比較して所定の範囲内の光電変換出力のみを選別する。加算器２３ｂは、垂直方向の受光領域Ａ，Ｂごとに前記選別された光電変換出力の値を加算する。この加算器２３ｂの出力は、各ライン（垂直領域）判定信号として観察者位置推定回路２４に供給される。
【００３５】
観察者位置推定回路２４は、加算器２３ｂの出力（各ライン判定信号）に基づいて観察者３の位置を推定し、この推定結果を眼鏡無し立体映像表示制御回路２５に与える。この表示制御回路２５は、上記の推定結果（観察者の頭部推定位置）に基づき、従来の項で述べたごとく、画面表示する右眼画像と左眼画像を入替えたり、遮光バリアやパララックスバリアのピッチを移動させる制御等を行うことになる。
【００３６】
この実施形態２の構成は、垂直方向に配列された複数の赤外ＬＥＤａ〜ｄを用い、これを順次点灯させるとともに、各点灯タイミングで前記光検出器４１の出力を取り出すことで、光検出器４１を垂直方向に領域分割したのと同様の作用を得ている。そして、閾値判定回路２３ａは、各点灯タイミングでの光検出器４１の出力値と閾値とを比較して所定の範囲内の出力を選別するので、役に立たない点灯時点の出力（即ち、役に立たない領域に対応した出力：例えば図６に示す場合においては、Ａａ，ＢａおよびＡｄ，Ｂｄに対応する出力）はカットされ、頭部位置検出が高精度で行えることになる。
【００３７】
また、この実施形態２の構成は、回路構成が幾分複雑で部品点数が多くなるものの、実施形態１に比べて光学調整が容易であるという利点がある。
（実施形態３）
以下、この発明の他の参考例としての実施形態を図８及び図９に基づいて説明する。
【００３８】
この実施形態の観察者頭部位置検出装置における光学素子の配置関係は実施形態１と同様である。相違点は、図８に示すごとく、光検出器４２の垂直方向の分割数が例えば１００という具合に、分割数を多くしている点と、図９に示すごとく、検出装置３０の回路構成が異なる（処理内容が異なる）点である。
【００３９】
図９において、赤外ＬＥＤ駆動回路３２は、赤外ＬＥＤの点灯と消灯を制御する。受光素子駆動回路３１は、光検出器４２が図８のごとく構成されている場合には、横並びの受光領域Ａ１，Ｂ１の光電変換値を出力し、次に横並びの受光領域Ａ２，Ｂ２の光電変換値を出力し、という具合に、上側（観察者の頭部側）から順に光電変換値を出力していく。水平ライン加算器３６は、受光素子駆動回路３１が出力する横並びの受光領域の光電変換値を加算する。例えば、上記受光領域Ａ１，Ｂ１の光電変換値を加算し、次に横並びの受光領域Ａ２，Ｂ２の光電変換値を加算する。
【００４０】
頭頂判定回路３７は、水平ライン加算器３６が出力した加算値を順次入力し、例えば前回入力した加算値に対して今回入力した加算値が変化したかどうかを判断する。具体的には、例えば前回入力した加算値と今回入力した加算値との減算を行い、この減算値が所定値よりも大きいかを判断することにより、変化が生じたと判断する。このように変化が生じたときには、データ取込制御回路３８にデータ取込起点信号を与える。
【００４１】
データ取込制御回路３８は、受光素子駆動回路３１から出力される各受光領域の光電変換出力を順次入力している。そして、前記データ取込起点信号が与えられてから数領域（観察者の頭頂部から眼より少し上までの距離に対応：この距離は成人であれば殆ど個人差はない）後における数領域程度（観察者の眼の少し上から眼の少し下の辺りに対応）の受光領域の光電変換値をライン判定回路３３に供給する処理を開始する。ライン判定回路３３については、実施形態１，２で示したものと同様のものを用いたが、この実施形態３では閾値判定回路３３ａは必ずしも必要とはしない。
【００４２】
図８から分かるように、観察者の頭部よりも上の部分は反射物が無い状態であるから、これに対応する受光領域（Ａ１，Ｂ１等）の出力は非常に小さい値となる。頭頂判定回路３７は観察者の頭の側に対応する方向から各受光領域の出力値を順次入力して出力値の変化を検出しており、この変化の検出箇所は観察者の頭の頂部（ラインＨ）に対応する。そして、データ取込制御回路３８は、上記変化点を基準に所定数下方の受光領域において、その出力値をライン判定回路３３への出力として採用する。このデータ取込制御回路３８が採用した出力値は観察者の眼の付近に対応するものとなる。従って、この構成の観察者頭部位置検出装置は、観察者の眼近傍に重点をおいて観察者の頭部位置を推定することになるので、観察者の頭部位置に追従して両眼視差を有する映像を観察者の左右の眼にそれぞれ導く頭部追従型の眼鏡無し立体映像表示装置１に用いて特に好適となる。
【００４３】
以上説明した実施形態１〜３の観察者頭部位置検出装置は、いずれもコンパレータや加算器などの比較的単純なロジック回路で構成することができ、マイクロコンピュータは必ずしも必要でないので、安価で容易に作製することができる。また、単純に受光素子を並べた構成に比べて観察者の頭部位置を的確に検出することができるという利点がある。
【００４４】
なお、実施形態１，２で示した閾値判定、および実施形態３で示した頭頂判定を常時行うことはせずに、一定の時間（例えば、数秒若しくは数十秒）ごとに行うようにしてもよい。一般に、観察者が眼鏡無し立体映像表示装置１の前に位置して映像を見ることになれば、それほど頻繁に観察者の頭位置の高さが変わることはない。変わるとすれば観察者が入れ替わるとか、落ちつきなく画面を見ているような場合である。つまり、観察者の頭位置の高さはある程度の時間（例えば、数秒若しくは数十秒）維持されるのであるから、その間は頭の高さを検出する処理を停止してもよい。検出処理のこのような停止により、消費電力を低減することが可能になり、また、この停止中に他の複雑な処理を行うといったことも可能になる。
【００４５】
また、実施形態１〜３において、光検出器４，４１，４２のあおり角を調整する機構を付加してもよい。例えば、実施形態１において領域ａ，ｂ，ｃ，ｄの出力が全て小さいか又は大きく、全ての出力が閾値により無効とされる場合は、観察者にそのことを報知し、観察者に光検出器４，４１，４２のあおり角を調整してもらうか、自動的にあおり角を調整する機能を光検出器４，４１，４２の支持機構に設ける。
【００４６】
また、実施形態１〜３においては、光検出器４，４１，４２としてフォトダイオードやフォトトランジスタを例示したが、固体撮像素子（ＣＣＤ）や他の撮像素子を用いてもよい。
【００４７】
【発明の効果】
以上説明したように、この発明によれば、観察者の頭部位置検出には役立たない出力は採用されないので観察者の見る高さ（身長や座高）による個人差の影響が取り除かれ、単純に受光素子を並べた構成に比べ、観察者の頭部位置を的確に検出することができる。また、コンパレータや加算器などの比較的単純なロジック回路で構成することが可能であり、マイクロコンピュータは必ずしも必要でないので、安価で容易に作製できる。
【図面の簡単な説明】
【図１】この発明の実施形態１を示す図であって、眼鏡無し立体映像表示装置と観察者頭部位置検出装置と観察者との位置関係を示した説明図である。
【図２】実施形態１の観察者頭部位置検出装置における光学系の配置関係を示した図であって、同図（ａ）は正面図、同図（ｂ）は側面図である。
【図３】図１に示した位置関係において、図２（ａ）の光検出器の受光面上に観察者の像が結像された様子の一例を示した模式図である。
【図４】実施形態１の観察者頭部位置検出装置のブロック図である。
【図５】実施形態２の観察者頭部位置検出装置における光学系の配置関係を示した図であって、同図（ａ）は正面図、同図（ｂ）は側面図である。
【図６】図５（ａ）の光検出器の受光面上に観察者の像が結像された様子の一例を示した模式図である。
【図７】実施形態２の観察者頭部位置検出装置のブロック図である。
【図８】実施形態３の観察者頭部位置検出装置を説明する図であって、光検出器の受光面上に観察者の像が結像された様子の一例を示した模式図である。
【図９】実施形態３の観察者頭部位置検出装置のブロック図である。
【図１０】映像表示パネルからの最適観察位置および観察者の眼間距離を示す説明図である。
【図１１】最適観察位置に観察者が位置している状態の説明図である。
【図１２】映像表示パネルの画面全面からＲ２領域を通過する光の進路および画面全面からの右眼画像の到達が可能となる四角形領域を示す説明図である。
【図１３】映像表示パネルの画面全面より完全に右眼画像または左眼画像が見える範囲を示す説明図である。
【図１４】最適観察位置から観察者がすこし離れているものの、立体画像を認識している状態を示す説明図である。
【図１５】遮光部を１／４ピッチ移動した場合の右眼画像または左眼画像が見える範囲を示す説明図である。
【符号の説明】
１    眼鏡無し立体映像表示装置
２    観察者頭部位置検出装置
３    観察者
４    光検出器
５    受光用レンズ
６    赤外ＬＥＤ
１１  受光素子駆動回路
１２  赤外ＬＥＤ駆動回路
１３  ライン判定回路
１３ａ閾値判定回路
１３ｂ加算器
１４  観察者位置推定回路
２１  受光素子駆動回路
２２  赤外ＬＥＤ駆動回路
２３  ライン判定回路
２３ａ閾値判定回路
２３ｂ加算器
２４  観察者位置推定回路
３１  受光素子駆動回路
３２  赤外ＬＥＤ駆動回路
３３  ライン判定回路
３３ａ閾値判定回路
３３ｂ加算器
３４  観察者位置推定回路
【図１】
0003631059.tif 000002
【図２】
0003631059.tif 000003
【図３】
0003631059.tif 000004
【図４】
0003631059.tif 000005
【図５】
0003631059.tif 000006
【図６】
0003631059.tif 000007
【図７】
0003631059.tif 000008
【図８】
0003631059.tif 000009
【図９】
0003631059.tif 000010
【図１０】
0003631059.tif 000011
【図１１】
0003631059.tif 000012
【図１２】
0003631059.tif 000013
【図１３】
0003631059.tif 000014
【図１４】
0003631059.tif 000015
【図１５】
0003631059.tif 000016